【手続補正書】
【提出日】平成26年6月27日(2014.6.27)
【手続補正１】
【補正対象書類名】特許請求の範囲
【補正対象項目名】全文
【補正方法】変更
【補正の内容】
【特許請求の範囲】
【請求項１】
被写体を撮像して画像データを取得する撮像手段と、
前記撮像手段により画像データを取得するための準備動作を開始する指示を受け付ける第１の撮像指示受け付け手段と、
前記撮像手段により画像データを取得する指示を受け付ける第２の撮像指示受け付け手段と、
前記第２の撮像指示受け付け手段により指示を受け付けた場合、第１の位置情報を取得する第１の位置取得手段と、
前記撮像手段により取得した画像データと、前記第１の位置情報とを対応付けて記録媒体に記録する対応付け手段と、
前記第１の撮像指示受け付け手段により指示が受け付けられた後であり、かつ前記第２の撮像指示受け付け手段により指示が受け付けられる前に、第２の位置情報を取得する第２の位置取得手段と、
前記第１の位置情報が示す位置と前記第２の位置情報が示す位置とが所定の距離以上離れているか否かを判断する判断手段とを有し、
前記判断手段による判断結果に応じて、前記第２の撮像指示受け付け手段により指示を受け付けてから、前記指示に応じて得られる画像データが前記記録媒体に記録されるまでの処理を異ならせることを特徴とする撮像装置。
【請求項２】
前記判断手段により前記第１の位置情報が示す位置と前記第２の位置情報が示す位置とが所定の距離以上離れていると判断された場合、ユーザにその旨を通知する通知手段を更に有することを特徴とする請求項１に記載の撮像装置。
【請求項３】
前記判断手段により前記第１の位置情報が示す位置と前記第２の位置情報が示す位置とが所定の距離以上離れていると判断された場合、前記第１の位置取得手段は、再度、第１の位置情報を取得することを特徴とする請求項１または２に記載の撮像装置。
【請求項４】
前記第２の撮像指示受け付け手段により指示が受け付けられた場合、第１の計時を開始する第１の計時手段をさらに有し、
前記第１の計時手段により計時が開始されてから所定の時間以上が経過している場合、前記第１の位置取得手段は、再度、前記第１の位置情報を取得しないことを特徴とする請求項３に記載の撮像装置。
【請求項５】
前記第１の撮像指示受け付け手段により指示が受け付けられた場合、第２の計時を開始する第２の計時手段と、
前記第２の位置情報を保持する保持手段とをさらに有し、
前記第２の計時手段により計時が開始されてから所定の時間が経過する前に前記第１の撮像指示受け付け手段により指示が受け付けられた場合、前記第２の計時手段は新たに計時を開始せず所定の時間が経過するまで計時を継続し、
前記第２の計時手段により計時が開始されてから所定の時間が経過する前であり、かつ前記保持手段に前記第２の位置情報が保持されていた場合、
前記判断手段は、前記第１の位置情報が示す位置と前記保持手段に保持されている第２の位置情報が示す位置とが所定の距離以上離れているか否かを判断することを特徴とする請求項４に記載の撮像装置。
【請求項６】
前記第１の位置取得手段は、複数の位置情報を取得し、
前記判断手段は、前記第１の位置取得手段により取得される複数の位置情報が示す位置のうち、前記第２の位置情報が示す位置に最も近い位置が前記第２の位置情報が示す位置から所定の距離以上離れているか否かを判断することを特徴とする請求項１乃至５のいずれか１項に記載された撮像装置。
【請求項７】
前記対応付け手段は、前記画像データと、前記第２の位置取得手段により取得された位置情報とを対応付けることを特徴とする請求項１乃至６のいずれか１項に記載の撮像装置。
【請求項８】
前記第２の位置取得手段は、記第１の撮像指示受け付け手段により指示が受け付けられた後であり、かつ前記第２の撮像指示受け付け手段により指示が受け付けられる前に、取得される複数の位置情報に基づき前記第２の位置情報を決定することによって取得することを特徴とする請求項１乃至７のいずれか１項に記載の撮像装置。
【請求項９】
前記対応付け手段は、前記画像データと、前記第２の位置情報を決定するために利用した複数の位置情報とを対応づけることを特徴とする請求項８に記載の撮像装置。
【請求項１０】
前記第１の位置情報、及び前記第２の位置情報は、緯度と経度の値を含むことを特徴とする請求項１乃至９のいずれか１項に記載された撮像装置。
【請求項１１】
前記第２の位置取得手段は、複数の位置情報の緯度の平均値、および複数の位置情報の経度の平均値を、第２の位置情報として取得することを特徴とする請求項１０に記載の撮像装置。
【請求項１２】
前記第２の位置取得手段は、複数の位置情報の緯度の中央値、および複数の位置情報の経度の中央値を、第２の位置情報として取得することを特徴とする請求項１０に記載の撮像装置。
【請求項１３】
前記第１の位置情報を、前記画像データに対応づけるか否かを選択するための指示を受け付ける選択受け付け手段を有し、
前記対応付け手段は、前記選択受け付け手段により、前記第１の位置情報を前記画像データに対応づける指示が受け付けられたことに応じて、前記画像データを前記第１の位置情報と対応づけて記録媒体に記録し、
前記対応付け手段は、前記選択受け付け手段により、前記第１の位置情報を前記画像データに対応づけない指示が受け付けられたことに応じて、前記画像データを前記第１の位置情報と対応づけずに記録媒体に記録することを特徴とする請求項１乃至１２のいずれか１項に記載の撮像装置。
【請求項１４】
前記選択受け付け手段は、前記判断手段により前記第１の位置情報が示す位置と前記第２の位置情報が示す位置とが所定の距離以上離れていると判断された場合に、前記指示を受け付けることを特徴とする請求項１３に記載の撮像装置。
【請求項１５】
被写体を撮像して画像データを取得する撮像工程と、
前記撮像工程にて画像データを取得するための準備動作を開始する指示を受け付ける第１の撮像指示受け付け工程と、
前記撮像工程にて画像データを取得する指示を受け付ける第２の撮像指示受け付け工程と、
前記第２の撮像指示受け付け工程にて指示を受け付けた場合、第１の位置情報を取得する第１の位置取得工程と、
前記撮像工程にて取得した画像データと、前記第１の位置情報とを対応付ける対応付け工程と、
前記第１の撮像指示受け付け工程にて指示が受け付けられた後であり、かつ前記第２の撮像指示受け付け工程にて指示が受け付けられる前に、第２の位置情報を取得する第２の位置取得工程と、
前記第１の位置情報が示す位置と前記第２の位置情報が示す位置とが所定の距離以上離れているか否かを判断する判断工程とを有し、
前記判断工程の判断結果に応じて、前記第２の撮像指示受け付け工程にて指示を受け付けてから、前記指示に応じて得られる画像データが前記記録媒体に記録されるまでの処理を異ならせることを特徴とする撮像装置の制御方法。
【請求項１６】
コンピュータを請求項１乃至１４のいずれか１項に記載の撮像装置として動作させるためのコンピュータが読み取り可能なプログラム。
【手続補正２】
【補正対象書類名】明細書
【補正対象項目名】０００７
【補正方法】変更
【補正の内容】
【０００７】
上記課題を解決するために、本発明の撮像装置は、被写体を撮像して画像データを取得する撮像手段と、前記撮像手段により画像データを取得するための準備動作を開始する指示を受け付ける第１の撮像指示受け付け手段と、前記撮像手段により画像データを取得する指示を受け付ける第２の撮像指示受け付け手段と、前記第２の撮像指示受け付け手段により指示を受け付けた場合、第１の位置情報を取得する第１の位置取得手段と、前記撮像手段により取得した画像データと、前記第１の位置情報とを対応付けて記録媒体に記録する対応付け手段と、前記第１の撮像指示受け付け手段により指示が受け付けられた後であり、かつ前記第２の撮像指示受け付け手段により指示が受け付けられる前に、第２の位置情報を取得する第２の位置取得手段と、前記第１の位置情報が示す位置と前記第２の位置情報が示す位置とが所定の距離以上離れているか否かを判断する判断手段とを有し、前記判断手段による判断結果に応じて、前記第２の撮像指示受け付け手段により指示を受け付けてから、前記指示に応じて得られる画像データが前記記録媒体に記録されるまでの処理を異ならせることを特徴とする。